(57)【特許請求の範囲】
【請求項１】
異なるユーザが各々所有する携帯情報通信端末装置間で、ネットワーク上の、前記異なるユーザのうちの一のユーザが管理するサーバが管理するデータの交換を行うデータ処理方法であって、
前記一のユーザが管理するサーバ或いは当該一のユーザが所有する携帯情報通信端末装置にて、交換するデータを識別するための情報と当該データのアクセスを許可する時間帯を指定する情報とを暗号化する段階と、
当該交換するデータを管理するサーバであり、前記一のユーザが管理するサーバにて上記暗号化段階で得られた暗号化データと、前記異なるユーザのうちの他のユーザが所有する携帯情報端末装置から新たに受信した暗号化データとを比較照合する段階と、
上記比較照合段階の結果所定の一致があった場合、前記一のユーザが管理するサーバにて、前記当該アクセスを許可する時間帯を指定する情報によって指定された時間帯に当該交換するデータをアクセス可能状態にする段階とよりなるデータ処理方法。
【請求項２】
上記暗号化段階で得られた暗号化データは当該交換するデータを提供する前記一のユーザから受け手である前記他のユーザへ伝達され、受け手である前記他のユーザは当該暗号化データを交換するデータを管理するサーバであって前記一のユーザが管理するサーバへ送信し、それを受けた当該サーバは上記比較照合段階にて所定の一致があった場合当該交換するデータを受け手である前記他のユーザの携帯情報通信端末装置へ返送する構成の請求項１に記載の方法。
【請求項３】
上記データを提供する前記一のユーザから受け手である前記他のユーザへの暗号化データの伝達は双方のユーザの携帯情報通信端末装置間での電子メール交換によってなされる構成の請求項２に記載の方法。
【請求項４】
上記暗号化段階の処理は当該データを提供する側の、前記一のユーザの携帯情報通信端末装置で実行し、その結果得られた暗号化データを、当該データを管理するサーバであって前記一のユーザが管理するサーバに送信する構成の請求項１に記載の方法。
【請求項５】
上記比較照合段階では、当該交換するデータを識別する情報が一致し、且つ当該データのアクセスを許可する時間帯を指定する情報について少なくとも暗号化段階で得られた暗号化データで示される時間帯に受信された暗号化データで示される時間帯が含まれる場合に前記所定の一致があったと判断する構成の請求項１に記載の方法。
【請求項６】
上記暗号化段階では更に当該交換するデータを管理しているサーバであって前記一のユーザが管理するサーバの所在地情報をも含めて暗号化し、
当該交換するデータの受け手である前記他のユーザの携帯情報通信端末装置では、暗号化段階で得られた暗号化データを入手し、そこから上記所在地情報を解読して当該所在地情報の示す当該交換するデータを管理しているサーバであって前記一のユーザが管理するサーバに当該暗号化データを送信する構成の請求項１に記載の方法。
【請求項７】
異なるユーザが各々所有する携帯情報通信端末装置間で、ネットワーク上の、前記異なるユーザのうちの一のユーザが管理するサーバが管理するデータの交換を行う、前記一のユーザが所有する携帯情報通信端末装置であって、
少なくとも交換するデータを識別するための情報と当該データのアクセスを許可する時間帯を指定する情報とを暗号化する手段と、
当該暗号化手段によって得られた暗号化データを、当該交換するデータを管理するサーバであって前記一のユーザが管理するサーバへ送信する手段と、
当該暗号化手段によって得られた暗号化データを当該交換するデータの受け手である、前記異なるユーザのうちの他のユーザの携帯情報通信端末装置へ送信する手段とよりなる携帯情報通信端末装置。
【請求項８】
ネットワークで接続された異なるユーザが各々所有する携帯情報通信端末装置間でデータ交換が可能なようにデータを管理保存するサーバであり、前記異なるユーザのうちの一のユーザが管理するサーバであって、
少なくとも交換するデータを識別するための情報と当該データのアクセスを許可する時間帯を指定する情報とを暗号化する手段と、
上記暗号化手段によって得られた暗号化データと、前記異なるユーザのうちの他のユーザが所有する携帯情報端末装置から新たに受信した暗号化データとを比較照合する手段と、
上記比較照合手段による比較照合の結果所定の一致があった場合に、前記当該アクセスを許可する時間帯を指定する情報によって指定された時間帯に当該交換するデータをアクセス可能状態にする手段とよりなるサーバ。
【請求項９】
コンピュータに、異なるユーザが各々所有する携帯情報通信端末装置間で、ネットワーク上の、前記異なるユーザのうちの一のユーザが管理するサーバが管理するデータの交換を行う、前記異なるユーザのうちの一のユーザが所有する携帯情報端末装置としての動作を実行させるためのソフトウェアプログラムであって、
少なくとも交換するデータを識別するための情報と当該データのアクセスを許可する時間帯を指定する情報とを暗号化する段階と、
当該暗号化段階で得られた暗号化データを、当該交換するデータを管理するサーバであって前記一のユーザが管理するサーバへ送信する段階と、
当該暗号化段階で得られた暗号化データを当該交換するデータの受け手である、前記異なるユーザのうちの他のユーザが所有する携帯情報通信端末装置へ送信する段階とをコンピュータに実行させるソフトウェアプログラム。
【請求項１０】
コンピュータに、ネットワークで接続された異なるユーザが各々所有する携帯情報通信端末装置間でデータ交換が可能なようにデータを保存管理するサーバであって、前記異なるユーザのうちの一のユーザが管理するサーバとしての動作を実行させるソフトウェアプログラムであって、
少なくとも交換するデータを識別するための情報と当該データのアクセスを許可する時間帯を指定する情報とを暗号化する段階と、
上記暗号化段階で得られた暗号化データと、前記異なるユーザのうちの他のユーザが所有する携帯情報端末装置から新たに受信した暗号化データとを比較照合する段階と、
上記比較照合段階の結果所定の一致があった場合、前記当該アクセスを許可する時間帯を指定する情報によって指定された時間帯に当該交換するデータをアクセス可能状態にする段階とをコンピュータに実行させるソフトウェアプログラム。
【発明の詳細な説明】
【０００１】
【発明の属する技術分野】
本発明はデータ処理方法、情報通信端末装置、サーバ及びソフトウェアプログラムに係り、特に異なる端末間でネットワーク上のサーバで保管するデータをやりとりする場合に簡易な方法で且つ所定のセキュリティの確保を達成することが可能なデータ処理方法、情報通信端末装置、サーバ及び上記データ処理方法をコンピュータに実施させるためのソフトウェアプログラムに関する。
【０００２】
【従来の技術】
携帯電話機、通信機能を有するノート型コンピュータ、携帯情報端末等の常時携帯して使用する通信機器にてデータを扱う場合、当該携帯用通信機器の軽量化、省電力化等の観点から搭載可能なメモリ容量が限られ、その結果比較的多量のデータを扱う場合インターネット等のネットワーク上で接続されたサーバを介して所望のデータを管理保存するような手法が実施されている。このような手法を利用することにより、携帯用通信機器に大きな容量を有する記憶装置を実装する必要が無くなり、当該通信機器の軽量化、省電力化が可能となる。
【０００３】
上記の如く携帯用通信機器がネットワーク上のサーバを介して管理保存する情報として例えばＰＩＭ（パーソナル・インフォーメーション・マネージャ）情報等の個人情報があり、更にその実例として名詞情報、カレンダ情報等がある。そしてこれらの情報をＰＩＭアプリケーションソフトウェアによって複数の端末間でやりとりするためのデータフォーマットとして、ＩＭＣ（インターネット・メール・コンソーシアム）が推進するｖＣａｒｄ，ｖＣａｌｅｎｄｅｒ等がある。
【０００４】
図１は携帯電話機１０，２０間でＰＩＭ情報をやりとりする場合の方法について説明するための図である。この場合、両端末１０，２０とも夫々基地局３０，４０を介してインターネット１００に接続され、インターネット１００経由でサーバ５０にアクセスし、夫々が保有するＰＩＭ情報７０，８０を同サーバ５０を介して管理保存しているものとする。一般的に情報漏洩に対するセキュリティの観点から各端末１０，２０で同サーバ５０へアクセスを行う際、個々のユーザはユーザ認証を受ける手続きを経る必要がある。即ち、同サーバ５０の配下にある互いのＰＩＭ情報７０，８０を交換する場合、ユーザＩＤの送信によるユーザ認証及びサーバ５０に対する所定のコマンドを送信することによって行う。
【０００５】
【発明が解決しようとする課題】
ここで異なるユーザ同士が夫々が管理する異なるサーバ配下の互いのＰＩＭ情報を交換する場合を考える。この場合、一方のユーザは他方のユーザが管理するサーバのユーザ認証を受けることによりデータ交換が可能となる。しかしながら、一旦ユーザ認証を受けると一方のユーザが他方のユーザの管理下にあるサーバ配下のＰＩＭ情報に対して自由にアクセス可能となり、個人情報保護に関するセキュリティ上の問題点が生ずる場合がある。
【０００６】
本発明は上記問題点に鑑み、比較的簡易な方法で効果的にセキュリティ保護を達成可能な状態で異なるサーバ間でのデータ交換を可能にするデータ処理方法を提供することを目的とする。
【０００７】
【課題を解決するための手段】
上記目的を達成するため、本発明では、交換するデータの識別情報に加えて当該データをアクセス可の状態にする時間帯を指定する情報を暗号化し、当該暗号化データを当該交換データの受け手ユーザに伝達し、当該受け手ユーザがその暗号化データを当該交換データを管理しているサーバに送信することによって、上記指定時間帯に限ってサーバでは当該交換データを受け手ユーザの端末へ返送可能とするよう構成とした。
【０００８】
このように交換するデータの送り手が時間帯を指定して当該交換するデータをアクセス可能にすることにより、当該データの受け手は上記指定時間帯にのみ当該データにアクセス可能となるが、それ以外の時間帯はアクセス不可となる。したがってデータの送り手のユーザはアクセス可とする時間帯を当該データを入手するのに要される最小限の時間帯に限定指定することにより、受け手ユーザは当該データを入手する以外には送り手ユーザのサーバが管理しているデータにアクセスすることは殆ど不可となる。その結果送り手のユーザは当該特定のデータ以外を受け手ユーザに見られる心配が非常に少なくなる。
【０００９】
又、万が一上記暗号化データが漏洩し、悪意のある他人によって取得された場合でも、上記アクセス可能とする時間帯が限られており、それ以外の時間帯はアクセス不可となるため、当該他人によってデータを盗み見られる恐れは殆ど無い。
【００１０】
更に、データ識別情報及び指定時間情報が共に暗号化されているため、上記特徴と相まって個人情報保護に関するセキュリティを高度に保護可能な方法を提供可能である。
【００１１】
【発明の実施の形態】
以下、図と共に本発明の実施の形態について説明する。
【００１２】
図２は本発明の第１実施例によるデータ処理方法について説明するための図である。同図に示す構成は基本的には上述の図１と共に説明した従来のデータ処理方法に関する構成と同様である。即ち、異なるユーザが各々所有する携帯電話端末１０，２０がインターネット１００に接続され、夫々が管理するＰＩＭ情報７０，８０間でデータ交換を行うものとする。
【００１３】
但し、この場合夫々のＰＩＭ情報７０，８０は各ユーザが別個に管理するサーバ５０，６０によって夫々保存管理されている。即ち、端末１０のユーザはサーバ５０のユーザ認証を保有し、他方端末２０のユーザはサーバ６０のユーザ認証を保有する。しかしながら端末２０のユーザは、端末１０のユーザの管理下にあるサーバ５０へのユーザ認証を保有しないため、このサーバ５０へはアクセスすることは出来ず、したがってそのままでは端末２０のユーザは端末１０のユーザのＰＩＭ情報７０を得ることは出来ない。
【００１４】
ここで上記各ＰＩＭ情報７０，８０は、端末１０，２０の夫々のユーザが保有するｖＣａｒｄ等による名詞情報であったとする。即ち、端末１０のユーザは複数の人物の名詞情報を保有し、他方端末２０のユーザは他の複数の人物の名詞情報を保有しているものとする。そして、例えば端末２０のユーザが、端末１０のユーザが保有する名詞情報を取得し、自己の名詞情報へ追加する場合を考える。
【００１５】
図３のフローチャートにおいて、まず、端末１０のユーザは、自己の管理下にあるサーバ５０に対し、「自己の名詞情報をこれから１０分間（例えば１５時１０分迄）アクセス可な状態にする」旨の情報を暗号化するよう指示する（ステップＳ１）。
【００１６】
この指示を受け、サーバ５０は、「自サーバ５０のアドレス（例えばｈｔｔｐ：／／ｗｗｗ．ａａａ．ｃｏｍ）」、「端末１０のユーザの名詞情報のインデックス（例えば００１）」、及び「上記インデックスの名詞情報をアクセス可の状態にする時間（例えば現在時刻が１５：００の場合、１５：１０）」の情報を暗号化して例えば暗号化データＸＸＸＹＹＹＺＺＺ（以下、暗号化データＡと称する）を得る（ステップＳ２）。そしてサーバ５０はこの暗号化データＡを端末１０に返送する（ステップＳ３）。
【００１７】
これを受けた端末１０のユーザは、当該暗号化データＡを端末２０のユーザへ伝達する（ステップＳ４）。この場合の伝達方法としては、直接口頭で述べても良いし、或いは電話の通話によってもよいし、或いは電子メールによる伝達でもよい。
【００１８】
そしてこの伝達を受けた端末２０のユーザは、当該暗号化データＡを自己の端末２０に設定する。この場合の入力方法としてはキー入力によるものとする。但し、上記伝達方法が電子メールによるものであった場合、端末２０上におけるカットアンドペースト等の操作によってそのまま設定可能である。更に、当該設定暗号化データＡの内のアドレス情報（即ち上記サーバ５０のアドレスｈｔｔｐ：／／ｗｗｗ．ａａａ．ｃｏｍ）を、端末２０に予め搭載されているソフトウェアで解読し、当該アドレスが示すインターネット上の場所、即ちサーバ５０に対して暗号化データＡを送信する（ステップＳ５）。
【００１９】
これを受信したサーバ５０では当該暗号化データＡがステップＳ３にて送信済みのものと一致するか否かを比較照合し、その結果が「一致」である場合それを解読し、その指示にしたがって指定時刻でである１５時１０分迄の間、端末１０のユーザの名詞情報（インデックス００１）をアクセス可能な状態に設定する（ステップＳ７）。そして上記暗号化データＡを受信した時刻が上記指定時刻である１５時１０分以前である場合（ステップＳ８のＹｅｓ）、上記端末１０のユーザの名詞情報を端末２０に対して返送する（ステップＳ８）。その結果、端末２０を介して端末２０のユーザは端末１０のユーザの名詞情報を得ることが出来る（ステップＳ９）。そしてこのようにして得た端末１０のユーザの名詞情報を自己が管理するサーバ６０を介して管理している自己の名詞情報８０に追加する。
【００２０】
尚、ステップＳ６にて暗号化データＡを受信した時刻が上記指定時刻１５時１０分を過ぎていた場合（ステップＳ７のＮｏ）、アクセス不可としてエラーメッセージを端末２０に返信し（ステップＳ１０）、端末２０ではこれを受信する（ステップＳ１１）。
【００２１】
このように、本実施例では、データを交換する場合、当該データの識別情報としてのインデックス情報に加え、当該データを保有するサーバの所在地情報（ＵＲＬ等）とアクセス許可時間情報とを併せて暗号化して予め送り手の端末へ送信し、当該データを保有するサーバではその後暗号化データを受信すると、それを上記予め送信した暗号化データと同一であるか否かを比較照合する。そしてその比較照合の結果が「一致」である場合、その暗号化データで示される指定時間内に限り要求データを返送する構成である。
【００２２】
そのため、データを受け取る側のユーザはデータ送り主のユーザが管理するサーバのユーザ認証を受けたわけではないため、当該データを受け取った後、上記指定時間帯を過ぎた後には当該送り主ユーザのサーバ管理化のデータにはアクセス出来ない。したがって当該送り主ユーザは受け手のユーザによって同じサーバ管理下に保存された当該データ以外のデータを見られる可能性を効果的に減らすことが可能である。
【００２３】
又、万が一当該暗号化データが漏洩し、他人が当該暗号化データを使用して不当にデータを取得しようとした場合でも、指定時刻が過ぎていれば当該サーバ管理下のデータにはアクセス不可となるため、高いセキュリティ性を確保可能である。
【００２４】
更に、ステップＳ５にて端末１０のユーザから伝達された暗号化データＡを解読する端末２０に搭載されたソフトウェアは、解読後のサーバ５０のアドレス（ＵＲＬ）が端末２０のディスプレイ上では表示されないように構成することが望ましい。その結果、受け手側のユーザでは、送り主ユーザが管理するサーバのアドレスを知り得ないことになり、更に高いセキュリティ性を確保可能である。
【００２５】
更に、ステップＳ４における暗号化データの伝達を口頭で行わず、送り手側のユーザによるタイプイン、電子メール等によって受け手側の端末に直接設定する方法によって行うことにより、当該暗号化データの漏洩を確実に防止可能である。
【００２６】
次に図４、図５と共に本発明の第２実施例の構成、動作について説明する。
【００２７】
まず、端末１０のユーザは、図５のフローチャートのステップＳ３１にて、自己の端末１０を操作することによって、「サーバ５０で保存管理している自己の名詞情報をこれから１０分間（例えば１５時１０分迄）アクセス可な状態にする」旨の情報を暗号化する旨の指示を当該端末１０へ入力する。この指示入力を受け、端末１０は、「サーバ５０のアドレス（例えばｈｔｔｐ：／／ｗｗｗ．ａａａ．ｃｏｍ）」、「自己の名詞情報のインデックス（例えば００１）」、及び「上記インデックスの名詞情報をアクセス可の状態にする時間（例えば１５：１０）」の情報を暗号化して例えば暗号化データＸＸＸＹＹＹＺＺＺ（以下、暗号化データＡと称する）を得る。そしてこの暗号化データＡは、端末１０からサーバ５０に送信される（ステップＳ３２）。
【００２８】
次に端末１０のユーザは当該暗号化データＡを端末２０のユーザへ伝達する（ステップＳ３３）。この場合の伝達方法としては、上記第１実施例の場合同様、直接口頭で行っても良いし、或いは電話の通話によるものでもよいし、或いは電子メールによるもでもよい。
【００２９】
この伝達を受けた端末２０のユーザは当該暗号化データＡを端末２０に設定する。この場合の設定方法としてはキー入力によるものとする。但し、上記伝達方法が電子メールによるものであった場合、カットアンドペースト等の操作によって設定可能である。更に、当該設定暗号化データＡの内のアドレス情報（即ち上記サーバ５０のアドレスｈｔｔｐ：／／ｗｗｗ．ａａａ．ｃｏｍ）を端末２０に予め搭載されているソフトウェアで解読し、当該アドレスが示すインターネット上の場所、即ちサーバ５０に対して暗号化データＡを送信する（ステップＳ３４）。
【００３０】
これを受信したサーバ５０では当該暗号化データＡをステップ３２で受信した暗号化データと一致するか否か比較照合し、その結果が「一致」である場合にそれを解読し、その指示にしたがって指定時刻でである１５時１０分迄の間、端末１０のユーザの名詞情報（インデックス００１）をアクセス可能な状態に設定する（ステップＳ３６）。そして上記暗号化データＡを受信した時刻が上記指定時刻である１５時１０分以前である場合、例えば１５時５分であった場合（ステップＳ３６のＹｅｓ）、上記端末１０のユーザの名詞情報を端末２０に対して返送する（ステップＳ３７）。その結果、端末２０のユーザは端末２０を介して端末１０のユーザの名詞情報を得ることが出来る（ステップＳ３８）。
【００３１】
尚、ステップＳ３５にて暗号化データＡを受信した時刻が上記指定時刻１５時１０分を過ぎていた場合（ステップＳ３６のＮｏ）、アクセス不可としてエラーメッセージを端末２０に返送し（ステップＳ３９）、端末２０ではこれを受信する（ステップＳ４０）。
【００３２】
又、上記第２実施例の他の適用形態として、以下の方法も可能である。即ち、図５のステップ３３にて端末１０のユーザが端末２０のユーザへ伝達する情報は暗号化データＡそのものでなく、これと異なる暗号化データＢとする。但しこの場合、上記ステップＳ３３において送り手のユーザは、当該サーバ５０のアドレス及び自己の名詞情報のインデックスはステップＳ３２にてサーバ５０に送信したものと同様であり、アクセス可能状態にする時間のみが異なる、例えば「１５時５分迄アクセス可」とする。そして対応するユーザの操作入力により端末１０では「サーバ５０のアドレス（例えばｈｔｔｐ：／／ｗｗｗ．ａａａ．ｃｏｍ）」、「自己の名詞情報のインデックス（例えば００１）」、及び「上記インデックスの名詞情報をアクセス可の状態にする時間（この場合１５：０５）」の情報を暗号化して暗号化データＢを得る。そして端末１０のユーザはこの暗号化データＢを端末２０のユーザへ伝達する（ステップＳ３３）。
【００３３】
この伝達を受けた端末２０のユーザは当該暗号化データＢを端末２０に設定する。その結果当該設定暗号化データＢの内のアドレス情報（上記サーバ５０のアドレスｈｔｔｐ：／／ｗｗｗ．ａａａ．ｃｏｍ）を端末２０に予め搭載されているソフトウェアで解読し、当該アドレスが示すインターネット上の場所、即ちサーバ５０に対して暗号化データＢを送信する（ステップＳ３４）。
【００３４】
これを受信したサーバ５０では当該暗号化データＢを解読し、その内容を予めステップＳ３２にて端末１０から受診した暗号化データＡの解読によって得られた情報と比較照合する。その結果指定された名詞情報のインデックスが一致し且つ指定時刻が暗号化データＡのものによる時刻範囲内にある場合にのみ、その指示にしたがって、即ち指定時刻である１５時５分迄の間、端末１０のユーザの名詞情報（インデックス００１）をアクセス可能な状態に設定する（ステップＳ３６）。
【００３５】
そして上記暗号化データＢを受信した時刻が上記指定時刻である１５時５分以前である場合（ステップＳ３６のＹｅｓ）、上記端末１０のユーザの名詞情報を端末２０に対して返送する（ステップＳ３７）。その結果、端末２０を介して端末２０のユーザは端末１０のユーザの名詞情報を得ることが出来る（ステップＳ３８）。
【００３６】
尚、ステップＳ３５にて暗号化データＢを受信した時刻がその指定時刻１５時５分を過ぎていた場合（ステップＳ３６のＮｏ）、アクセス不可としてエラーメッセージを端末２０に返信し（ステップＳ３９）、端末２０ではこれを受信する（ステップＳ４０）。
【００３７】
この第２実施例によれば、第１実施例に比して、端末１０からサーバ５０へ暗号化要求を行う処理（ステップＳ１）が省けるため、送信に要する手間と同通信費用を省くことが可能である。更に、他の適用形態として説明した如く、端末１０にてサーバ５０と端末２０とに対し互いに異なる内容の暗号化データを生成することが可能となる。その結果、例えば予めサーバに対しては多少長めの時間を指定しておき（暗号化データＡ），受け手のユーザには短めの時間を指定するデータ（暗号化データＢ）を伝達することが可能である。そのようにすることにより、当該名詞情報をアクセス可能にする時間を必要最短限度の間に制限することが可能であり、更に高度なセキュリティを提供可能である。
【００３８】
なお、本発明の実施例は上述のものに限られず、様々な変形例が可能である。例えば、上記実施例では指定時間帯に所定の暗号化データを受信した際に該当交換データをアクセス可能としたが、この例に限られず、例えば指定時間帯に所定の暗号化データを受信した際に該当交換データを返送するのみとし、それ以外に特にアクセス可能時間帯を設けないように構成してもよい。又逆に、例えば指定時間帯に所定の暗号化データを受信した際に該当交換データを特定時間帯アクセス可とするのみとし、特に該当データを返送する動作は行わない構成としてもよい。その場合、受け手ユーザは該当時間帯内に自ら該当データを参照してそれを取得する動作を行えばよい。
【００３９】
更に、上記実施例では該当データをアクセス可とする時間帯の指定を、暗号化の時点で開始される時間として指定していたが、この例に限られず、例えば暗号化の時点以降所定の開始時刻から所定の終了時刻迄の時間帯として指定する構成としてもよい。
【００４０】
即ち、送り手ユーザが、当該交換データへのアクセスを可とする時間帯を指定してこの時刻を限定することにより、送り手ユーザはその指定時刻に関してのみセキュリティ保護に関する注意を払えばよく、その時刻が過ぎればこの点については一切注意を払う必要が無くなるという効果を奏する構成であればよい。
【００４１】
【発明の効果】
このように本発明によれば、データ交換の際に受け手ユーザに対してデータ識別情報とアクセス可とする時間帯を示す情報とを暗号化して伝達し、その暗号化データを受け手ユーザの端末から受信したサーバが当該指定時間帯に限って当該交換データをアクセス可能にする構成としたため、比較的簡易な構成によって高度なセキュリティを確保したデータ交換方法を提供可能である。
【図面の簡単な説明】
【図１】従来の情報通信端末装置間でネットワーク上のサーバを介して管理しているデータを交換する態様について説明するための図である。
【図２】本発明の第１実施例によるデータ交換方法について説明するための図である。
【図３】本発明の第１実施例によるデータ交換方法の動作を示すフローチャートである。
【図４】本発明の第２実施例によるデータ交換方法について説明するための図である。
【図５】本発明の第２実施例によるデータ交換方法の動作を示すフローチャートである。
【符号の説明】
１０，２０    携帯情報通信端末装置（携帯電話機）
５０，６０    サーバ
７０，８０    ＰＩＭ情報
【図１】
0004071517.tif 000002
【図２】
0004071517.tif 000003
【図３】
0004071517.tif 000004
【図４】
0004071517.tif 000005
【図５】
0004071517.tif 000006